(57)【要約】【課題】二本の電線の導線を少なくとも二個の蓄力コネクタを用いて締結する際における締結作業性を大幅に改善することができる蓄力コネクタユニットを提供する。【解決手段】頭部、及び該頭部から並行に突出すると共に外周に螺子部を有した２本の脚片を有した略Ｕ字状のボルト部材と、前記２つの雄螺子片間の間隙内にケーブルを挿通した状態で該間隙内に嵌合して前記ケーブルを前記頭部内面との間で挟圧する挟圧部材と、該ボルト部材に螺合して締結されることにより前記挟圧部材をケーブル挟圧状態に移動させるナットと、を備えた蓄力コネクタであって、２つの前記蓄力コネクタの前記各間隙同士が対向する位置関係にて前記頭部同士を連結一体化したことを特徴とする蓄力コネクタユニット。【選択図】図１
2011243359.tif 000002
【特許請求の範囲】
【請求項１】
頭部、及び該頭部から並行に突出すると共に外周に螺子部を有した２本の脚片を有した略Ｕ字状のボルト部材と、前記２つの雄螺子片間の間隙内にケーブルを挿通した状態で該間隙内に嵌合して前記ケーブルを前記頭部内面との間で挟圧する挟圧部材と、該ボルト部材に螺合して締結されることにより前記挟圧部材をケーブル挟圧状態に移動させるナットと、を備えた蓄力コネクタであって、
２つの前記蓄力コネクタの前記各間隙同士が対向する位置関係にて前記頭部同士を連結一体化したことを特徴とする蓄力コネクタユニット。
【請求項２】
前記各ボルト部材に夫々螺着される２つのナットのうちの一方は外周にギヤ部を有した第１のギヤ部材であり、他方のナットは前記第１のギヤ部材と噛合するギヤ部を外周に有した第２のギヤ部材と該第２のギヤ部材の外側面から軸方向へ突出したナット部材とから成り、
前記ナット部材を締結方向へ回転させることにより前記第２のギヤ部材から前記第１のギヤ部材に回転力が伝達されて両ギヤ部材が締結方向へ回転することを特徴とする請求項１に記載の蓄力コネクタユニット。
【発明の詳細な説明】
【技術分野】
【０００１】
本発明は、例えば二本の高圧電線の導線同士を電気的機械的に接続する際に締結具として使用される蓄力コネクタの改良に関する。
【背景技術】
【０００２】
蓄力コネクタは、例えば架空地線をアース線と接続したり、架空配電線を高圧引下線と接続する等、二本のケーブルの導線部分同士を電気的機械的に接続する締結手段として用いられる。
蓄力コネクタとして、例えば特許文献１に開示されたものがある。図４、図５に示すようにこの蓄力コネクタＣは、頭部１０１及び頭部から二股に分岐した二本の脚片１０２（雄螺子部１０３）を備えたＵ字状のボルト部材１００と、ボルト部材１００の脚片１０２間の空間Ｓに配置される側面形状が略Ｔ字形の挟圧片１０５と、雄螺子部１０３に螺着されるナット１１０と、から成る。各脚片１０２の外周にはナット１１０と螺合する螺子部１０２ａが形成されている。挟圧片１０５はＴ字形の下部材１０５ａの上に上面にＶ溝を有した上部材１０５ｂを係合させた状態で、両部材中心部の螺子穴１０６に螺子部材１０７を螺着して一体化した構成を有する。
図５（ａ）（ｂ）に示すように脚片間の空間Ｓ内に、並行に接触させた二本のケーブルの導線Ｗ１、Ｗ２を挿通した状態でナット１１０を締め付けることにより、挟圧片１０５とボルト部材の頭部１０１内面との間で二本の導線を一括して締結する。
【０００３】
ところで、蓄力コネクタを用いて二本のケーブルを接続する場合には、接続強度を高めるために二個以上の蓄力コネクタを使用することが多い（図５（ｃ））。各蓄力コネクタは、モンキースパナ等の工具によって各ナットを締め付ける作業の障害とならない程度の離隔距離（２０ｍｍ程度）Ｌを確保してケーブル上に組み付けられる。
しかし、複数個の蓄力コネクタによって二本のケーブルを接続する際には、蓄力コネクタごとに個別にナットを締結する作業を行う必要がある。この際、最初の蓄力コネクタを締結する作業でナットを締め付ける時の圧力によって二本のケーブルがねじれて変形し、位置ずれを起こし易いため、次の蓄力コネクタをケーブルに取り付ける手間がかかり、トータルの締結時間が長くなるという問題があった。
【先行技術文献】
【特許文献】
【０００４】
【特許文献１】特開２００９−４４９４０公報
【発明の概要】
【発明が解決しようとする課題】
【０００５】
従来、蓄力コネクタの締結力が二本のケーブルを締結するのに十分でない場合には、複数個の蓄力コネクタを用いてケーブルを締結していたが、蓄力コネクタを順番に締結する作業を行う必要があったため、作業性が悪いという問題があった。
本発明は上記に鑑みてなされたものであり、二本の電線の導線を少なくとも二個の蓄力コネクタを用いて締結する際における締結作業性を大幅に改善することができる蓄力コネクタユニットを提供することを目的としている。
【課題を解決するための手段】
【０００６】
上記目的を達成するため、請求項１の発明に係る蓄力コネクタユニットは、頭部、及び該頭部から並行に突出すると共に外周に螺子部を有した２本の脚片を有した略Ｕ字状のボルト部材と、前記２つの雄螺子片間の間隙内にケーブルを挿通した状態で該間隙内に嵌合して前記ケーブルを前記頭部内面との間で挟圧する挟圧部材と、該ボルト部材に螺合して締結されることにより前記挟圧部材をケーブル挟圧状態に移動させるナットと、を備えた蓄力コネクタであって、２つの前記蓄力コネクタの前記各間隙同士が対向する位置関係にて前記頭部同士を連結一体化したことを特徴とする。
請求項２の発明は、請求項１において、前記各ボルト部材に夫々螺着される２つのナットのうちの一方は外周にギヤ部を有した第１のギヤ部材であり、他方のナットは前記第１のギヤ部材と噛合するギヤ部を外周に有した第２のギヤ部材と該第２のギヤ部材の外側面から軸方向へ突出したナット部材とから成り、前記ナット部材を締結方向へ回転させることにより前記第２のギヤ部材から前記第１のギヤ部材に回転力が伝達されて両ギヤ部材が締結方向へ回転することを特徴とする。
【発明の効果】
【０００７】
本発明によれば、二個の蓄力コネクタを連結一体化したので、二本の電線の導線を少なくとも二個の蓄力コネクタを用いて締結する際における締結作業性を大幅に改善することができる。
【図面の簡単な説明】
【０００８】
【図１】（ａ）及び（ｂ）は本発明の一実施形態に係る蓄力コネクタユニットの使用状態を示す正面図、及び斜視図である。
【図２】蓄力コネクタユニットを構成する個々の部品の分解斜視図である。
【図３】本発明の他の実施形態に係る蓄力コネクタユニットの構成を示す正面図である。
【図４】従来の蓄力コネクタの分解斜視図である。
【図５】（ａ）及び（ｂ）は従来の蓄力コネクタの側面図、及び正面図であり、（ｃ）はケーブル同士を接続している状態を示す説明図である。
【発明を実施するための形態】
【０００９】
以下、本発明を図面に示した実施の形態により詳細に説明する。
図１（ａ）及び（ｂ）は本発明の一実施形態に係る蓄力コネクタユニットの使用状態を示す正面図、及び斜視図であり、図２は蓄力コネクタユニットを構成する個々の部品の分解斜視図である。
蓄力コネクタユニット１は、二個の蓄力コネクタ２の一部（頭部１１）を連結一体化した構成を備えている。
個々の蓄力コネクタ２は、頭部１１、及び頭部１１から下向き且つ並行に突出すると共に外周に螺子部１２ａを有した２本の脚片１２を有した略Ｕ字状のボルト部材１０と、２つの雄螺子片１２間の間隙Ｓ内に二本のケーブルの各導線Ｗ１、Ｗ２を挿通した状態で間隙Ｓ内に嵌合して各導線を頭部内面１１ａとの間で挟圧する正面形状が略Ｔ字状の挟圧部材１５と、ボルト部材１０の各螺子部１２ａに螺合して締結されることにより挟圧部材１５をケーブル挟圧状態に移行させるナット２０と、を備えている。
挟圧部材１５は、Ｔ字形の下部材１５ａ上に、上面にＶ溝を有した上部材１５ｂを係合させた状態で、両部材中心部の螺子穴１６に螺子部材１７を螺着して一体化した構成を有する。挟圧部材１５はナット２０の穴内に抜け落ち不能且つ相対回転可能に係合している。
なお、通常は図示しない可撓性を有したシート状の板バネを両導線Ｗ１、Ｗ２に対してＳ字状に巻き掛けた状態で間隙Ｓ内に収容する。
【００１０】
本発明の蓄力コネクタユニット１の特徴的な構成は、２つの蓄力コネクタ２の各間隙Ｓ同士が対向（連通）する位置関係にて、頭部１１同士を連結部１１ｂによって連結一体化した点に存する。即ち、図２に示すように共通の長尺頭部１１Ａには所定の間隔を隔てて２対の脚片１２が突設されており、対を成す各脚片１２には夫々挟圧部材１５とナット２０が組み付けられる。
この蓄力コネクタユニット１によって二本のケーブルの導線Ｗ１、Ｗ２を電気的機械的に接続する作業においては、まず各ナット２０を緩めた状態で各挟圧部材１５と各頭部内面１１ａとの間に各導線Ｗ１、Ｗ２を図示のように差し込む。次いで、図示しないモンキースパナ等の工具を用いて各ナット２０を締め付ける。ナットの締め付けに際しては、予め導線Ｗ１、Ｗ２が捻れ変形しないように両ナットを交互に少しずつ締め付けて両導線を固定しておき、その後各ナットを完全に締結する。
このように共通の長尺頭部１１Ａの内面１１ａと各挟圧部材１５とによって２本の導線を仮固定した後で、本格的にナットを締結するので、各導線がねじれて離間したり、変形することがなくなり、締結作業効率を高めることができる。特に、導線が撚り線である場合には、個々の導線のバラケを防止できるため、蓄力コネクタユニット１による締結作業性を向上できる。
【００１１】
次に、図３は本発明の他の実施形態に係る蓄力コネクタユニットの構成を示す正面図である。なお、前記実施形態と同一部分には同一符号を付し重複した構成の説明は省略する。
本実施形態に係る蓄力コネクタユニット１は、ナットの構成が前記実施形態と異なっている。
この蓄力コネクタユニット１は、各ボルト部材１０に夫々螺着される２つのナットのうちの一方のナット２０Ａは外周にギヤ部３０ａを有した第１のギヤ部材３０であり、他方のナット２０Ｂは第１のギヤ部材３０と噛合するギヤ部３５ａを外周に有した第２のギヤ部材３５と第２のギヤ部材の外側面から軸方向へ一体的に突出したナット部材３６とから成る。
工具を用いてナット部材３６を締結方向へ回転させることにより、第２のギヤ部材３５から第１のギヤ部材３０に回転力が伝達されて両ギヤ部材が締結方向へ同時に回転する。このため、各ギヤ部材３０、３５と接する各締結部材１５は、頭部１１Ａとの間で導線を同時に挟圧保持することができ、導線に捻れによる変形が発生する余地がなくなる。
また、一つのナット部材３６を工具によって締め付けるだけで２つの蓄力コネクタを一括して締結させることができるので、操作性が向上することが明かである。
【００１２】
更に、一方のナットに設けたナット部材３６を回転させるだけで両蓄力コネクタを導線に対して締結することができるので、２つの蓄力コネクタ間に工具を操作するためのスペースを確保する必要がなくなる。このため、２つの蓄力コネクタ間の距離を短くすることができ、２つの蓄力コネクタをできるだけ近接させて締結したい場合に便利である。
なお、本発明の蓄力コネクタユニットは、架空地線をアース線と接続したり、架空配電線を高圧引下線と接続する場合の他に、二本のケーブルの導線部分同士を電気的機械的に接続する場合一般に適用することができる。
【符号の説明】
【００１３】
１…蓄力コネクタユニット、２…蓄力コネクタ２、１０…ボルト部材、１１…頭部、１１ａ…頭部内面、１１Ａ…長尺頭部、１２…脚片、１２ａ…螺子部、１５…挟圧部材、２０…ナット、２０Ａ、２０Ｂ…ナット、３０…第１のギヤ部材、３５…第２のギヤ部材、３５ａ…ギヤ部、３６…ナット部材
【図１】
2011243359.tif 000003
【図２】
2011243359.tif 000004
【図３】
2011243359.tif 000005
【図４】
2011243359.tif 000006
【図５】
2011243359.tif 000007